【手続補正書】
【提出日】平成16年5月11日(2004.5.11)
【手続補正１】
【補正対象書類名】明細書
【補正対象項目名】００４９
【補正方法】変更
【補正の内容】
【００４９】
また、信号発生手段１２８は、停止時間算出手段１０２で算出された使用停止時間、すなわち経過時間算出手段１１４によって算出されたマガジン３０の使用終了後の経過時間を設定時間記憶手段１２２に記憶されている所定設定時間と比較する比較手段１３０と、比較手段１３０における比較結果に基づいて、使用停止時間が、所定設定時間に達した時、または所定設定時間を超えている時に出力信号を発生する信号生成手段１３４とを有する。
信号発生手段１２８の出力信号、すなわち信号生成手段１３４の出力信号は、種々の巻戻信号や先端処理信号として送出ローラ対３６の駆動モータ１４０やカッタ１４の駆動モータ１５６に送られる。
【手続補正２】
【補正対象書類名】明細書
【補正対象項目名】００５６
【補正方法】変更
【補正の内容】
【００５６】
そして、マガジン３０を最後に使用した時刻として、第１の時刻１０５を採用するか、第２の時刻１０６を採用するか、あるいはその双方を採用するかによって、第１の経過時間１１６を採用するか、第２の経過時間１１８を採用するか、あるいはその双方を採用するかが決まることになる。ここで、このマガジン使用後の経過時間は、必ずしも、記憶手段１１０にデータとして記憶されているものを使用する必要はなく、終了時刻記憶手段１０４に記憶されているマガジン３０を最後に使用した時刻とクロック１１２の使用停止時間の算出時点での時刻とを直接比較して算出もよい。
【手続補正３】
【補正対象書類名】明細書
【補正対象項目名】００６２
【補正方法】変更
【補正の内容】
【００６２】
したがって、マガジンに感光材料を最後に巻き戻した第２の時刻１０６から、感光材料に曲げくせがつかない範囲の時間に設定された第２の設定時間１２６だけ経過すると、次回の画像記録のために感光材料をカッタ１４で切断してカットシートとする前に、感光材料の先端を第１のカット長さ１５２だけカットして廃棄するので、長時間使用されなかったために、マガジン内の感光材料の案内機構などによって感光材料に曲げくせがつき、これを使用したことによって他の写真プリントとは異なった方向にカールした写真プリントとなることを防止することができる。
【手続補正４】
【補正対象書類名】明細書
【補正対象項目名】００６４
【補正方法】変更
【補正の内容】
【００６４】
このリセット手段１５８は、図２に示すマガジン３０の上ケース６４を開けることによって自動的にリセットされることが望ましく、このためには、マガジン３０に上ケース６４を開けたことを記憶するメカニカルな記憶装置を設け、感光材料７８の軸７６または送出ローラ対３６の回転によって、この記憶装置を解除するように構成することが望ましい。
【手続補正５】
【補正対象書類名】明細書
【補正対象項目名】００７０
【補正方法】変更
【補正の内容】
【００７０】
この第２のカット長さ１６４は、入力装置１２０によってカット長さ記憶手段１５０に入力されて記憶されている長さであって、次回の画像記録のために感光材料をカッタ１４で切断してカットシートとする前に、記憶手段１４８から第２の先端カット信号１６２が出力され、送出ローラ対３６の駆動モータ１４０によって感光材料が第２のカット長さ１６４だけ送り出され、送り量検出１５４によって指定された送り量に達したことが検知されるまで回転して停止し、カッタ作動手段１５６によってカッタ１４（図１参照）が作動して、新しい感光材料の先端部の傾斜してカットされている部分や、指紋が付いたり遮光が完全でなく露光したりすることによって使用することができない先端部分を、第２のカット長さ１６４だけ切断して廃棄する。
【手続補正６】
【補正対象書類名】明細書
【補正対象項目名】００７７
【補正方法】変更
【補正の内容】
【００７７】
ここで、１）、２）および３）の状態、すなわち、４）の状態以外のマガジン着脱時とは、上述の時間管理部１００で長尺状感光材料７８の先端を切断して廃棄する先端処理の対象とならないマガジン３０がマガジンセット部（マガジン室３２）に装填された場合であり、例えば、マガジン３０がマガジンセット部に装填された時、図７に示すように、時間管理部１００が、長尺状感光材料７８の先端を切断して廃棄する先端処理を行うことを指示するいずれの先端カット信号も出力せず、その代わりに信号発生手段１３４が表示信号１７３を出力する場合である。
このように表示信号が出力された場合には、図８（ｂ）に示すように、プリント開始に先立って、先端処理をする・しないも含めた判断および指示をオペレータに促すメッセージが表示手段１７５に表示される。表示されたメッセージを見てオペレータは、上述した１）、２）および３）のいずれの状態であるかを判断し、１）の状態であると判断すれば、先端処理をしない指示の入力を行い、２）または３）の状態であると判断すれば、先端処理をする指示の入力を行う。こうして、オペレータによって、先端処理をする・しないの指示および必要に応じて強制カット長さが入力装置１２０に入力されると、例えば、時間管理部１００によって強制カットを行う第３のカット信号１７２が出力され、マガジン３０内の長尺状感光材料７８にはオペレータの指示に従った先端処理が行われる。オペレータによって、先端処理をしない旨の指示がされた場合には、時間管理部１００の信号生成手段１３４からプリント開始信号１３５を出力するようにしても良い。
【手続補正７】
【補正対象書類名】明細書
【補正対象項目名】符号の説明
【補正方法】変更
【補正の内容】
【符号の説明】
１０  画像記録装置
１２  感光材料供給部
１４  カッタ
１６  裏印字装置
１８  コーナー搬送部
２０  露光装置
２２  搬送手段
２４  ハウジング
２４ａ  隔壁
２６  現像装置
３０  マガジン
３２  マガジン室
３４  ロール
３６  送出ローラ対
３８  フィードローラ
４０  ニップローラ
４２，４４，４８，５２  ローラ対
４６  センサ
５０  露光ユニット
６０  分離線
６２  下ケース
６４  上ケース
６６  把手
６８，７０  ハンドル
７２  ピボット
７４  支持部
７６  軸
７８  感光材料
８０  操作ロッド
８４  段差部
８６  送出口
８８  シャッタ
９０  操作ボタン
９２  指示片
９４  ばね
１０４  終了時刻記憶手段
１０５  第１の時刻
１０６  第２の時刻
１０８  読み取り手段
１１０  記憶手段
１１２  クロック
１１４  経過時間算出手段
１１６  第１の経過時間
１１８  第２の経過時間
１２０  入力装置
１２２  設定時間記憶手段
１２４  第１の設定時間
１２６  第２の設定時間
１２８  信号発生手段
１３１  第１の比較手段
１３２  第２の比較手段
１３６  マガジンの巻戻信号
１３８  分配器
１４０  送出ローラ対駆動モータ
１４２  巻き戻し終了検出
１４４  シャッタ閉
１４６  第１の先端カット信号
１４８  記憶手段
１５０  カット長さ記憶手段
１５２  第１のカット長さ
１５４  送り量検出
１５６  カッタ作動手段
１５８  リセット手段
１６０  リセット信号
１６２  第２の先端カット信号
１６４  第２のカット長さ
１６６  強制巻き戻し
１６８  強制巻戻信号
１７０  強制カット
１７２  第３の先端カット信号
１８０  記憶装置
１８２  検出板
１８２ａ  凹部
１８２ｂ  軸
１８４，１９２  ばね
１８６  ボール
１８８  ワンウェイクラッチ
１９０  アーム
１９４  押圧ピン
１９６ａ、１９６ｂ  検出部
１９８  センサ